(57)【要約】      （修正有）【課題】充填物をポンプで排出させる容器の強度を低下させることなく、内容物を確実に使い切ることができる容器を提供する。【解決手段】充填物Ｍを充填可能な容器本体１２と、容器本体１２に充填された充填物Ｍを外部に排出させる排出部と、を備えて容器１０を形成する。容器本体１２の内部には、容器本体１２の内側面の所定の位置を最下部１８とするために傾斜した傾斜部１６が設けられ、排出部１４は、充填物Ｍを吸引する吸引部１４Ａと、吸引部１４Ａで吸引された充填物Ｍを外部に排出させるポンプ部１４Ｂと、を有し、吸引部１４Ａの先端部１４Ａ１は、最下部１８に位置している。【選択図】図１
0003169580.tif 000002
【実用新案登録請求の範囲】
【請求項１】
充填物を充填可能な容器本体と、前記容器本体に充填された前記充填物を外部に排出させる排出部と、を備えた容器であって、
前記容器本体の内部には、前記容器本体の内側面の所定の位置を最下部とするために傾斜した傾斜部が設けられ、
前記排出部は、前記充填物を吸引する吸引部と、前記吸引部で吸引された前記充填物を外部に排出させるポンプ部と、を有し、
前記吸引部の先端部は、前記最下部に位置していることを特徴とする容器。
【請求項２】
前記傾斜部には、前記吸引部を位置決めするための位置決め部が設けられていることを特徴とする請求項１に記載の容器。
【請求項３】
前記位置決め部は、前記傾斜部に形成された溝部であることを特徴とする請求項２に記載の容器。
【請求項４】
前記最下部は、前記容器本体の内側面に沿って連続した環状となるように形成されていることを特徴とする請求項１乃至３のいずれか１項に記載の容器。
【請求項５】
前記容器本体の内側面のうち前記最下部が位置していない他の位置には、前記最下部へ前記充填物を導くための傾斜流入部が前記傾斜部によって形成されていることを特徴とする請求項１乃至３のいずれか１項に記載の容器。
【請求項６】
前記傾斜部は、前記容器本体の底部の上方に形成されていることを特徴とする請求項１乃至５のいずれか１項に記載の容器。
【請求項７】
前記吸引部には、折り曲げ可能な蛇腹部が形成されていることを特徴とする請求項１乃至６のいずれか１項に記載の容器。
【請求項８】
前記容器本体及び前記傾斜部は、透明の樹脂で構成されていることを特徴とする請求項１乃至７のいずれか１項に記載の容器。
【考案の詳細な説明】
【技術分野】
【０００１】
本考案は、例えば、シャンプーやリンスなどの液体、流動体あるいは半流動体などを充填するための容器に関する。
【背景技術】
【０００２】
従来から内容物の残量が少ない場合でも、吸引・排出することができ、内容物を容易に使い切ることができる容器が提案されている（下記特許文献１参照）。下記の特許文献１には、容器の底部に窪みを形成し、残量が少なくなった場合でも、窪みに内容物を溜めてそれを吸引することにより、内容物を使い切る容器が記載されている。
【先行技術文献】
【特許文献】
【０００３】
【特許文献１】特開平１１−３４９０７０号公報
【考案の概要】
【考案が解決しようとする課題】
【０００４】
しかしながら、上記従来の技術では、容器の底部を削って窪みを形成しているため、底部の厚みが部分的に薄肉になり、強度が低下する問題がある。また、容器の使用環境などにより、吸引管の先端部が窪みからズレルことがあり、窪みに溜まった内容物が吸引管で吸引することができなくなるおそれもある。
【０００５】
そこで、本考案は、上記問題を解決するためのものであり、容器の強度を低下させることなく、内容物を確実に使い切ることができる容器を提供することを目的とする。
【課題を解決するための手段】
【０００６】
本考案は、充填物を充填可能な容器本体と、前記容器本体に充填された充填物を外部に排出させる排出部と、を備えた容器であって、前記容器本体の内部には、前記容器本体の内側面の所定の位置を最下部とするために傾斜した傾斜部が設けられ、前記排出部は、前記充填物を吸引する吸引部と、前記吸引部で吸引された前記充填物を外部に排出させるポンプ部と、を有し、前記吸引部の先端部は、前記最下部に位置していることを特徴とする。
【０００７】
この場合、前記傾斜部には、前記吸引部を位置決めするための位置決め部が設けられていることが好ましい。
【０００８】
この場合、前記位置決め部は、前記傾斜部に形成された溝部であることが好ましい。
【０００９】
この場合、前記最下部は、前記容器本体の内側面に沿って連続した環状となるように形成されていることが好ましい。
【００１０】
この場合、前記容器本体の内側面のうち前記最下部が位置していない他の位置には、前記最下部へ前記充填物を導くための傾斜流入部が前記傾斜部によって形成されていることが好ましい。
【００１１】
この場合、前記傾斜部は、前記容器本体の底部の上方に形成されていることが好ましい。
【００１２】
この場合、前記吸引部には、折り曲げ可能な蛇腹部が形成されていることが好ましい。
【００１３】
この場合、前記容器本体及び前記傾斜部は、透明の樹脂で構成されていることが好ましい。
【考案の効果】
【００１４】
本考案によれば、容器の強度を低下させることなく、内容物を確実に使い切ることができる。
【図面の簡単な説明】
【００１５】
【図１】本考案の第１実施形態の容器に充填物が満たされている状態の説明図である。
【図２】本考案の第１実施形態の容器の充填物の残量が少ない状態の説明図である。
【図３】本考案の第２実施形態の容器に充填物が満たされている状態の説明図である。
【図４】本考案の第２実施形態の容器の充填物の残量が少ない状態の説明図である。
【図５】本考案の第２実施形態の容器が傾斜した状態を示す説明図である。
【図６】本考案の第３実施形態の容器の部分的な断面図である。
【図７】本考案の第４実施形態の容器の部分的な断面図である。
【考案を実施するための形態】
【００１６】
先ず、本考案の第１実施形態に係る容器について図面を参照して説明する。
【００１７】
図１及び図２に示すように、容器１０は、充填物Ｍを充填可能な容器本体１２と、容器本体１２に充填された充填物Ｍを外部に排出させるための排出部１４と、を備えている。
【００１８】
なお、充填物Ｍとして、シャンプーやリンスの他に、香水・化粧水・乳液などの化粧用などの液体・流動体・半流動体状のものがある。
【００１９】
容器本体１２は、例えば、角柱状や円柱状のものが採用される。容器本体１２の内部は、充填物Ｍが充填される。また、容器本体１２の内部には、傾斜部としての傾斜部１６が配置されている。傾斜部１６は、容器本体１２の内側面の所定の位置が最下部１８となるように、傾斜して配置されている。傾斜部１６は、傾斜しているものの、傾斜部１６の表面は平坦面で構成されている。このため、充填物Ｍの残量が少なくなった場合には、僅かな残量が容器本体１２の最下部１８に溜まる。換言すれば、充填物Ｍの残量が少なくなると、充填物Ｍが重力の作用により傾斜部１６の表面上を滑り落ちる。これにより、残り僅かの充填物Ｍは、傾斜部１６と容器本体１２内側面とで囲まれて形成された最下部１８に溜まる。
【００２０】
傾斜部１６は、容器本体１２の底部１２Ａの上方の位置に配置されている。このため、容器本体１２の底部１２Ａを削るなどして窪みを形成しているものではないため、容器本体１２の強度が維持される。
【００２１】
なお。傾斜部１６と容器本体１２の底部１２Ａとの間は、中肉として肉厚状に形成してもよく、あるいは中空状に形成してもよい。また、容器本体１２の底部１２Ａを取り除き、傾斜部１６に底部としての機能を担持させるとともに、傾斜部１６の底部に容器１０を起立させるためのスタンドを取り付けてもよい。
【００２２】
容器本体１２及び傾斜部１６は、透明な樹脂で構成されている。具体的には、プラスチック樹脂やガラス樹脂などで構成されている。
【００２３】
排出部１４は、充填物Ｍを吸引する吸引部１４Ａと、吸引部１４Ａで吸引された充填物Ｍを外部に排出させるポンプ部１４Ｂと、を有している。吸引部１４Ａは、充填物Ｍを吸引可能なストロー状の管である。ポンプ部１４Ｂは、プッシュタイプのものであり、ポンプ部１４Ｂのヘッド部１４Ｂ１を押下することにより、充填物Ｍが吸引部１４Ａから吸引され、ポンプ部１４Ｂの排出口１４Ｂ２から外部に排出される。
【００２４】
ここで、吸引部１４Ａの先端部１４Ａ１は、最下部１８に位置するように設定されている。また、吸引部１４Ａの先端部１４Ａ１は、傾斜部１６の表面に沿うように、斜めにカットされていてもよい。
【００２５】
また、吸引部１４Ａの少なくとも一部には、蛇腹部（図示省略）が形成されていてもよい。これにより、吸引部１４Ａは、蛇腹部において折り曲げ可能になり、かつ伸縮可能になる。この結果、吸引部１４Ａの先端部１４Ａ１の方向変換や位置決めが可能になり、最下部１８の位置決め自由度を高めることができる。
【００２６】
第１実施形態の容器１０によれば、図１及び図２に示すように、内容物である充填物Ｍの残量が僅かになった場合に、残り僅かな充填物Ｍを最下部１８に導くことができる。そして、その最下部１８に位置する吸引部１４Ａの先端部１４Ａ１から充填物Ｍを吸引して外部に排出させることができる。このように、充填物Ｍの残量が少なくなった場合でも、充填物Ｍを確実に吸引・排出することができ、使い切ることが可能になる。
【００２７】
加えて、容器本体１２の一部を凹部状に薄肉形成しているわけではないので、容器本体１２の強度を維持することができ、ひいては容器本体１２の変形や破損などを防止することができる。
【００２８】
次に、本考案の第２実施形態に係る容器について図面を参照して説明する。
なお、第１実施形態の容器と同様の構成には、同じ符号を付し、その説明を適宜省略する。
【００２９】
図３及び図４に示すように、第２実施形態では、傾斜部１６の表面中央には、吸引部１４Ａを位置決めするための位置決め部としての溝部２０が形成されている。このため、傾斜部１６は、最下部１８に向って下り傾斜すると共に、溝部２０に向っても下り傾斜している。
【００３０】
特に、吸引部１４Ａの一部が傾斜部１６の溝部２０に接触していることが好ましい。
【００３１】
第２実施形態によれば、吸引部１４Ａの一部が溝部２０に沿うように配置されており、吸引部１４Ａの先端部１４Ａ１が最下部１８の位置で位置決めされている。このため、容器１０がどのような姿勢で保持されていても、吸引部１４Ａの先端部１４Ａ１が最下部１８から位置ずれすることを防止できる。例えば、図５に示すように、容器１０が傾斜して保持されている状態においても、吸引部１４の先端部１４Ａ１が最下部１８から位置ずれしない。このため、最下部１８に溜まった充填物Ｍを確実に使い切ることができる。
【００３２】
また、吸引部１４Ａで容器本体１２内部の充填物Ｍを吸引し外部に排出していくと、容器本体１２の充填物Ｍの残量が次第に少なくなるが、傾斜部１６の表面上に付着した充填物Ｍは、次第に溝部２０へ移動する。そして、溝部２０に溜まった充填物Ｍが重力の作用を受けて溝部２０上を最下部１８へ向って移動する。これにより、溝部２０から最下部１８に至る充填物Ｍの移動ルートが確保され、充填物Ｍを円滑かつ確実に最下部１８に導くことができる。これらの結果、充填物Ｍの残量が少なくなった場合でも、充填物Ｍを吸引・排出することができ、ひいては充填物Ｍを確実に使い切ることが可能になる。
【００３３】
次に、本考案の第３実施形態に係る容器について図面を参照して説明する。
なお、第１実施形態の容器と同様の構成には、同じ符号を付し、その説明を適宜省略する。
【００３４】
図６に示すように、第３実施形態では、最下部１８が容器本体１２の内側面に沿って連続した環状となるように形成されている。
【００３５】
第３実施形態によれば、容器１０のどのように傾斜させた場合でも、最終的には、重力の作用を受けて、最下部１８のうち最も重力作用方向の下流側に位置する最下流部位又はその近傍に、充填物Ｍが溜まる。すなわち、容器本体１２の内側面に沿って最下部１８が環状に連続していることにより、充填物Ｍが重力の作用を受けて、常に最下部１８の最下位置となる部位へ充填物Ｍが移動する。この結果、容器１０を傾斜させるときの方向性が必要なく、設置自由度を高めることができる。
【００３６】
次に、本考案の第４実施形態に係る容器について図面を参照して説明する。
なお、第１実施形態の容器と同様の構成には、同じ符号を付し、その説明を適宜省略する。  
【００３７】
図７に示すように、第４実施形態では、容器本体１２の内側面のうち最下部１８が位置していない他の位置には、最下部１８へ充填物Ｍを導くための傾斜流入部２２が傾斜部１６と容器本体１２の内側面とによって形成されている。換言すれば、最下部１８と傾斜流入部２２とが環状に連続して形成されている。そして、傾斜流入部２２から最下部１８にかけて緩やかな下り傾斜となるように形成されている。
【００３８】
第４実施形態によれば、容器１０を垂直に置いた場合でも、容器本体１２内の充填物Ｍを使用していくと、充填物Ｍが傾斜流入部２２及び最下部１８に溜まる。そして、傾斜流入部２２に溜まった充填物Ｍが重力の作用を受けて最終的に最下部１８に移動する。そして、最下部１８において充填物Ｍが吸引部１４Ａの先端部１４Ａ１から吸引され、外部に排出可能になる。
【符号の説明】
【００３９】
１０      容器
１２      容器本体
１４      排出部
１４Ａ    吸引部
１４Ａ１  先端部
１４Ｂ    ポンプ部
１８      最下部
２０      溝部（位置決め部）
２２      傾斜流入部
【図１】
0003169580.tif 000003
【図２】
0003169580.tif 000004
【図３】
0003169580.tif 000005
【図４】
0003169580.tif 000006
【図５】
0003169580.tif 000007
【図６】
0003169580.tif 000008
【図７】
0003169580.tif 000009